(57)【要約】【課題】屋根側を屋根シートでカバーする屋根構造において、屋根シートの軒先側の縁部を、風で煽られず、しかも、すっきりとしたきれいな収まりに仕上げることができる屋根の軒先構造を提供する。【解決手段】軒先部分に軒線方向に延びる下地材９が備えられ、屋根側をカバーする屋根シート１０の軒側の縁部が、下地材９を上側から下側へと回り込んで下地材９の外周部に支えられ、下地材９の下側で内向きにされて軒部に連結されている。下地材９は外周円弧であり、屋根シート１０の軒側の縁部が下地材９の外周面に沿って円弧状に回り込んでいる。【選択図】      図１
2005009262.tif 000002
【特許請求の範囲】
【請求項１】
軒先部分に軒線方向に延びる下地材が備えられ、屋根側をカバーする屋根シートの軒側の縁部が、前記下地材を上側から下側へと回り込んで下地材の外周部に支えられ、下地材の下側で内向きにされて軒部に連結されていることを特徴とする屋根の軒先構造。
【請求項２】
前記下地材が外周円弧であり、屋根シートの軒側の縁部が下地材の外周面に沿って円弧状に回り込んでいる請求項１に記載の屋根の軒先構造。
【発明の詳細な説明】
【０００１】
【発明の属する技術分野】
本発明は、簡易組立式家屋等に用いられる屋根の軒先構造に関する。
【０００２】
【従来の技術及び課題】
例えば、一般ユーザーであっても組み立てることができるような簡易組立式の家屋では、屋根についてもそれを簡易に組み立てることができるものでなければならず、そのための方法の一つとして、屋根側を屋根シートでカバーする屋根構造を採用することが考えられるが、その場合に、屋根シートを軒先側においていかなる態様で収めれば、風に煽られず、しかも、すっきりとした軒先構造を実現しうるかが問題となる。
【０００３】
本発明は、かかる問題点に鑑み、屋根側を屋根シートでカバーする屋根構造において、屋根シートの軒先側の縁部を、風で煽られず、しかも、すっきりとしたきれいな収まりに仕上げることができる屋根の軒先構造を提供することを課題とする。
【０００４】
【課題を解決するための手段】
上記の課題は、軒先部分に軒線方向に延びる下地材が備えられ、屋根側をカバーする屋根シートの軒側の縁部が、前記下地材を上側から下側へと回り込んで下地材の外周部に支えられ、下地材の下側で内向きにされて軒部に連結されていることを特徴とする屋根の軒先構造によって解決される。
【０００５】
この軒先構造では、屋根シートの軒先側の縁部が、下地材の外周部を上側から下側へと回り込んで下地材の外周部に支えられ下地材の下で内向きにされていること、及び、内向きにされた部分が軒部に連結されていることの相乗作用によって、屋根シートが軒先部分において風に煽られてバタつくのが阻止され、しかも、そのような構造によって、屋根シートの軒先側の縁部の収まりをすっきりとしたきれいな仕上がりにすることができる。
【０００６】
下地材が外周円弧であり、屋根シートの軒側の縁部が下地材の外周面に沿って円弧状に回り込んでいる場合は、屋根シートが下地材で傷付けられるのを防ぐことができて耐久性を向上することができる。
【０００７】
【発明の実施の形態】
次に、本発明の実施形態を図面に基づいて説明する。
【０００８】
図１乃至図３に示す実施形態の簡易組立式家屋において、１は基礎部、２は外壁部、３は屋根部であり、屋根部３は、屋根骨組み構造部分６の上面側を屋根シート１０でカバーした構造となっている。本実施形態では、屋根骨組み構造部分６が、軒棟軒と延びる上に凸の複数本の軒棟方向横架材４と、これら複数本の軒棟方向横架材４に支えられ、棟線方向に延びる複数本の棟線方向横架材５…とで構成されている。
【０００９】
各軒棟方向横架材４は、左右の軒先側において、金具７で左右の軒桁８，８に取り付けられ、軒先側の端部はそれぞれ軒桁８，８よりも外方に突出している。この突出部分の先端部に、軒線方向に延びる下地材９，９が備えられている。
【００１０】
下地材９は、プラスチック製の円筒材からなっていて、図５（イ）に示すように、周壁の一側に孔１１が明けられ、この孔１１を通じて軒棟方向横架材４の端部が差し込まれ、孔１１と対向する周壁部分には孔はなく、軒棟方向横架材４の先端部が円筒下地材９の内周面部に当接することで、それ以上差し込まれないようになされている。
【００１１】
そして、屋根骨組み構造部分の上面側をカバーする屋根シート１０の軒先側の縁部は、下地材９を上側から下側へと円弧状に回り込んで下地材９の外周部に支えられ、下地材９の下側で内向きにされている。そして、屋根シート１０の内向き先端部に掛け金具１２が備えられると共に、軒桁８と軒棟方向横架材４とを連結する金具７に受け金具１３が外向きに備えられ、掛け金具１２が受け金具１３に掛止されることで、屋根シート１０の内向き先端部が軒部において連結されている。受け金具１３及び／又は掛け金具１２にバネを仕込んでおき、屋根シート１０をバネ弾性力で緩みのないピンと張った状態にすることができるようになされているとよい。
【００１２】
屋根の組立は、図５（イ）及び図４に示すように、軒棟方向横架材４と棟線方向横架材５とで屋根の骨組み構造部分６を形成した後、軒棟方向横架材４の先端部に下地材９を嵌め、そして、骨組み構造部分６の上面側を屋根シート１０でカバーする。そして、図５（ロ）に示すように、屋根シート１０の軒先側の縁部を、下地材９の上側から下側へと円弧状に回り込ませて下地材９の外周部に支えさせ、下地材９の下側で内向きにし、掛け金具１２を受け金具１３に掛止するというようにして行われる。
【００１３】
このように、屋根を屋根シート１０でカバーする屋根構造において、その軒先構造として、上記のような収まり構造を採用することにより、屋根シート１０の軒先側の縁部が、下地材９の外周部を上から下へと回り込んで下地材９の外周部に支えられ、下地材９の下側で内向きにされること、及び、内向きにされた先端園部が軒部に連結されていることの相乗作用によって、屋根シート１０が軒先部分において風に煽られてバタつくことがなく、しかも、屋根シート１０の軒先側の縁部の収まりをすっきりとしたきれいな仕上がりにすることができる。しかも、下地材９は外周円弧であり、屋根シート１０の軒側の縁部が下地材９の外周面に沿って円弧状に回り込む構造となっているので、屋根シート１０が下地材９で傷付けられるのも防ぐことができる。
【００１４】
また、下地材９は、周壁に孔１１が明けられ、そこに軒棟方向横架材４の先端部が差し込まれているだけであるが、屋根シート１０の軒側の縁部が下地材９の外周側を回り込んで包む構造となっていることで、下地材９は、屋根シート１０に支えられて軒棟方向横架材４の先端部から脱落することはなく保持され、下地材９を簡素な構造で軒先部分に保持状態にすることができる。
【００１５】
以上に、本発明の実施形態を示したが、本発明はこれに限られるものではなく、発明思想を逸脱しない範囲で各種の変更が可能である。例えば、上記の実施形態では、下地材９として外周円弧のものを用いたが、外周角形のものであってもよいし、その他の外周形状をしていてもよい。また、屋根部において屋根シート１０の下地となる屋根骨組み構造部分は、軒棟方向横架材４と棟線方向横架材５とによるもののほか、各種構造のものが採用されてよい。また、上記の実施形態では、下地材９の下側で内向きにされた屋根シート１０の軒側縁部が軒部に存在する金具７に連結されているが、要は軒部領域において連結されていればよい。
【００１６】
【発明の効果】
本発明の屋根の軒先構造は、以上のとおりのものであるから、屋根側を屋根シートでカバーする構造において、屋根シートの軒先側の縁部を、風で煽られず、しかも、すっきりとしたきれいな収まりに仕上げることができる。
【図面の簡単な説明】
【図１】実施形態を示すもので、屋根部の正面図である。
【図２】同簡易組立式家屋の正面図である。
【図３】軒先部分の斜視図である。
【図４】屋根部の組立方法を示す正面図である。
【図５】図（イ）及び図（ロ）は軒先部における屋根シートの収め方を瞬時に示す正面図である。
【符号の説明】
９…下地材
１０…屋根シート
１２…掛け金具
１３…受け金具
【図１】
2005009262.tif 000003
【図２】
2005009262.tif 000004
【図３】
2005009262.tif 000005
【図４】
2005009262.tif 000006
【図５】
2005009262.tif 000007